(57)【特許請求の範囲】
【請求項１】
基地局装置から端末局装置へ送信される連続信号を下り用増幅器で増幅するとともに、端末局装置から基地局装置へ送信されるバースト信号を上り用増幅器で増幅する増幅装置において、
連続信号の一部を監視用信号として取得する取得手段と、
取得した監視用信号を増幅前のバースト信号と結合させて当該結合信号を上り用増幅器で増幅させる結合手段と、
上り用増幅器により増幅される前の監視用信号のレベルと上り用増幅器により増幅された後の監視用信号のレベルとに基づいて上り用増幅器のゲインを監視する監視手段と、
を備えたことを特徴とする増幅装置。
【発明の詳細な説明】
【０００１】
【発明の属する技術分野】
本発明は、基地局装置から端末局装置へ送信される連続信号と端末局装置から基地局装置へ送信されるバースト信号をそれぞれ増幅する増幅装置に関し、特に、例えば従来のように高額な部品を用いて監視用の信号（パイロット信号）を発生させることなく、バースト信号を増幅する上り用増幅器のゲイン（Ｇａｉｎ）の監視を効率的に行うことが可能な増幅装置に関する。
【０００２】
【従来の技術】
例えばデジタル携帯電話システムに代表されるように、近年の無線通信システムの分野では、デジタル無線通信システムが非常に普及している。特に、ＴＤＭ（Ｔｉｍｅ  Ｄｉｖｉｓｉｏｎ  Ｍｕｌｔｉｐｌｅｘ）／ＴＤＭＡ（Ｔｉｍｅ  Ｄｉｖｉｓｉｏｎ  Ｍｕｌｔｉｐｌｅ  Ａｃｃｅｓｓ）通信方式を採用するシステムは最も多く利用されており、この通信方式は周波数利用効率が高い等といった利点、及び、端末局側がバースト信号であるので、消費電力の面で有利であるために、多くの無線システムで利用範囲が拡大しようとしている。
【０００３】
上記のようなＴＤＭ／ＴＤＭＡ通信方式を採用する無線通信システムでは、一般に、基地局装置から端末局装置への下り回線（Ｄｏｗｎ  Ｌｉｎｋ）ではＴＤＭ方式により連続波の信号（連続信号）を送信する一方、端末局装置から基地局装置への上り回線（Ｕｐ  Ｌｉｎｋ）ではＴＤＭＡ方式によりバースト波の信号（バースト信号）を送信することが行われる。
【０００４】
また、このような無線通信システムでは、例えば基地局装置と端末局装置との間に増幅装置を備えて、基地局装置と端末局装置との間で双方向通信される高周波信号（上記した連続信号及び上記したバースト信号）を増幅装置により増幅することが必要不可欠となる場合がある。このような場合の具体例としては、例えば通話エリアを拡大する（すなわち、無線回線の信号レベルを補償する）目的がある場合や、地下街や地下鉄駅構内等の不感地帯への通話サービスを可能にする目的がある場合や、複数の事業者からのキャリアや複数の無線チャネルを共通増幅する目的がある場合等が挙げられる。
【０００５】
ここで、図４には、上記のような基地局装置３１や端末局装置３２や増幅装置３３を備えた無線通信システムの一例を示してあり、このシステムでは、基地局装置３１からの無線信号が端末局装置３２まで届かないこと或いは端末局装置３２からの無線信号が基地局装置３１まで届かないことを解消するために、これらの装置３１、３２の間に増幅装置３３を備えている。
【０００６】
具体的には、増幅装置３３では、例えば基地局装置３１から無線送信される連続信号をエアーインタフェース（エアーＩ／Ｆ）を介してアンテナ４１により受信し、受信した連続信号を共用器４２を介して下り用増幅器４３で増幅し、当該増幅信号を共用器４５を介してアンテナ４６から端末局装置３２に対して無線送信する。同様に、増幅装置３３では、例えば端末局装置３２から無線送信されるバースト信号をエアーインタフェースを介してアンテナ４６により受信し、受信したバースト信号を共用器４５を介して上り用増幅器４４で増幅し、当該増幅信号を共用器４２を介してアンテナ４１から基地局装置３１に対して無線送信する。
【０００７】
また、図５には、上記のような複数（例えばｘ台）の基地局装置（ＭＤＥ）５１〜５３及び端末局装置５４や増幅装置５５を備えた無線通信システムの一例を示してあり、このシステムでは、例えば基地局装置５１〜５３から出力される連続信号のレベルが低いことに対して当該レベルを共通増幅により高めるために、増幅装置５５が有線回線５６、５７を介して基地局装置５１〜５３に接続されて備えられている。
【０００８】
具体的には、増幅装置５５では、例えば基地局装置５１〜５３から出力される連続信号を有線回線５６を介して入力し、入力した連続信号を下り用増幅器６１で増幅し、当該増幅信号を共用器６３を介してアンテナ６４からエアーインタフェースを介して端末局装置５４に対して無線送信する。同様に、増幅装置５５では、例えば端末局装置５４から無線送信されるバースト信号をエアーインタフェースを介してアンテナ６４により受信し、受信したバースト信号を共用器６３を介して上り用増幅器６２で増幅し、当該増幅信号を有線回線５７を介して基地局装置５１〜５３へ出力する。
【０００９】
ところで、上記に例示したような増幅装置では、通常、システムの安定性を確保する必要（例えば安定した通話エリアを確保する必要など）があることから、上り用増幅器のゲインや下り用増幅器のゲインを監視する必要があり、このような監視が行われている。
【００１０】
ここで、増幅器（ＡＭＰ）のゲインを監視する方法としては、例えば図６（ａ）に示すように、監視対象となる増幅器７１の入出力レベルに基づく監視方法が一般的に用いられる。具体的には、例えばＡ［ｄＢｍ］の信号が増幅器７１に入力されて当該増幅器７１により（Ａ＋α）［ｄＢｍ］の信号に増幅されて出力される場合には、α［ｄＢ］が当該増幅器７１のゲインである。そして、例えばα≧１０であればゲインは正常であると判断する仕方や、α＜９であればゲインが異常であると判断してアラーム（警告音）を発するといった仕方等で監視を行う。
【００１１】
また、このような監視方法は理論的には上り用増幅器及び下り用増幅器のいずれにも適用可能なものであり、例えば図６（ｂ）には、増幅器８２のゲインを監視するための従来の回路構成例を示してあり、この回路の動作例を示す。
すなわち、同図（ｂ）に示した回路では、増幅対象となる高周波信号を結合器８１により２つの信号に分配し、一方の分配信号を監視対象となる増幅器８２に入力するとともに、他方の分配信号を監視用に備えられた固定ゲイン増幅器８４に入力する。そして、この回路では、前記他方の分配信号を固定ゲイン増幅器８４で増幅し、当該増幅信号を検波器（ＤＥＴ）８５により検波して直流（ＤＣ）電圧信号とし、当該直流電圧信号をアナログ−デジタル変換器（Ａ／Ｄ変換器）８６によりデジタル化して、監視対象となる増幅器８２の入力レベル（この例では、前記他方の分配信号のレベル）を検出する。
【００１２】
また、この回路では、監視対象となる増幅器８２から出力される増幅信号（増幅後の高周波信号）を結合器８３により２つの信号に分配し、一方の分配信号を増幅後の高周波信号として外部へ出力するとともに、他方の分配信号を監視用に備えられた検波器８７に入力する。そして、この回路では、上記した入力レベル検出の場合と同様に、前記他方の分配信号を検波器８７及びＡ／Ｄ変換器８８により検波及びディジタル化をし、監視対象となる増幅器８２の出力レベル（この例では、前記他方の分配信号のレベル）を検出する。
【００１３】
以上のようにして監視対象となる増幅器８２の入出力レベルを検出することにより、図６（ｂ）に示した回路では、例えば当該増幅器８２の入力レベルと出力レベルとを比較した結果に基づいて当該増幅器８２のゲインを監視することができる。具体的には、例えば増幅器８２の入力側のＡ／Ｄ変換器８６で検出される電圧レベル（検波電圧値）が１［Ｖ］であるときに出力側のＡ／Ｄ変換器８８で検出される電圧レベル（検波電圧値）が３［Ｖ］であるのが正常なゲイン（この例では、検波電圧値で比較すると、正常なゲイン＝３−１＝２［Ｖ］）状態であるとすると、入力レベルが１［Ｖ］であるにもかかわらず出力レベルが２［Ｖ］に下がった（すなわち、ゲインが１［Ｖ］に下がった）こと等に基づいてゲインが異常であると判断することができる。
【００１４】
なお、上記した結合器８１、８３としては、通常、２０ｄＢ程度の結合器が用いられる。
また、上記した回路では、結合器８１により分配されたレベルの低い分配信号を固定ゲイン増幅器８４で増幅することにより当該分配信号のレベルを検波器８５で検波しやすいレベルにまで高めているが、例えばダイナミックレンジが広い対数増幅器（ＬＯＧ−ＡＭＰ）が用いられる場合もある。
また、上記した回路では、Ａ／Ｄ変換器８６、８８を用いて増幅器８２のゲインを監視したが、例えばＡ／Ｄ変換器８６、８８の代わりに演算増幅器（オペアンプ）の比較回路を応用する手法もある。
【００１５】
また、例えば図７に検波器８５、８７の検波電圧特性の一例を示すように、当該特性は一般的に非線型なものであるため、上記した回路では、通常、検波器８５、８７に入力される信号のレベルの変動に対応するために、ソフトテーブル等を用いて増幅器８２のゲインを監視している。
【００１６】
具体的には、同図に示したグラフでは、検波器８５、８７の入力レベル［ｄＢｍ］を横軸に示す一方、検波電圧値［Ｖ］を縦軸に示してあり、当該入力レベルに対する当該検波電圧値の特性（検波電圧特性）を示してある。同図に示されるように、入力レベルに対する検波電圧値の傾きは入力レベルのレベル範囲Ａ〜Ｄ毎に異なっている。このため、例えば入力レベルが１０［ｄＢｍ］や１１［ｄＢｍ］や１２［ｄＢｍ］などの種々な値となるときの検波電圧値（或いは当該検波電圧値に対応するＡ／Ｄ変換値）を当該入力レベルと対応付けたソフトテーブル等がゲインの監視に利用されており、また、例えば必要な分解能に応じて検波器８５、８７の入力レベルを増幅器で調整することも行われる。
【００１７】
なお、上記した検波器８５、８７の入力レベルの各レベル範囲Ａ〜Ｄにおける検波電圧値の範囲［Ｖ］はそれぞれ“０〜１．０”、“１．０〜３．０”、“３．０〜４．５”、“４．５〜５．０”であり、一例としてＡ／Ｄ変換器８６、８８が５Ｖを８ｂｉｔの分解能でＡ／Ｄ変換する場合には、各レベル範囲Ａ〜ＤにおけるＡ／Ｄ変換値はそれぞれ“０〜５１”、“５２〜１５３”、“１５４〜２３０”、“２３１〜２５６”となる。
【００１８】
しかしながら、上記図６（ｂ）に示したような回路構成では、例えばＴＤＭＡ方式により端末局装置から基地局装置へ送信される高周波信号（バースト信号）を増幅する上り用増幅器のゲインを監視することはできない。この理由は、このような上り用増幅器に入力される端末局装置からのバースト信号が全くの非同期の信号であって通常の検波では同期がとれないためであり、バースト信号との同期がとれなければ上述した増幅器８２のゲインを監視するための動作が正常に行われないためである。なお、バースト信号との同期を確保して検波を行うことは非常に困難なことであり、現実的ではない。
【００１９】
そこで、従来では、上記のような上り用増幅器のゲインを監視するための試験信号（パイロット信号）を発生させて当該パイロット信号を上り用増幅器に入力することにより上り用増幅器のゲインを監視する回路が考え出されており、このような回路の構成例を図８（ａ）に示す。
【００２０】
同図（ａ）に示した回路では、例えば温度補償水晶発振器（Ｔｃｘｏ）９２や電圧制御発振器（ＶＣＯ）９３や位相同期回路（ＰＬＬ）９４から構成されたパイロット信号発振部９１により所定の周波数ｆ０のパイロット信号を発生させ、当該パイロット信号を増幅器９５で増幅する。そして、この回路では、端末局装置から基地局装置に対して送信される高周波信号（バースト信号）と前記増幅後のパイロット信号とを結合器９６により結合し、当該結合信号を監視対象となる上り用増幅器９７で増幅する。なお、パイロット信号の周波数ｆ０は端末局装置からのバースト信号の周波数ｆ１とは異なっている。
【００２１】
また、この回路では、監視対象となる上り用増幅器９７から出力される増幅信号を結合器９８により２つの信号に分配し、一方の分配信号を基地局装置に対して送信するとともに、他方の分配信号を監視用に備えられたバンドパスフィルタ９９に入力する。そして、この回路では、バンドパスフィルタ９９により抽出されたパイロット信号を検波器１００により検波して直流電圧信号とし、当該直流電圧信号をＡ／Ｄ変換器１０１によりデジタル化して、監視対象となる上り用増幅器９７の出力レベル（この例では、前記パイロット信号のレベル）を検出する。
【００２２】
以上のようにして監視対象となる上り用増幅器９７の出力レベルを検出することにより、図８（ａ）に示した回路では、例えばパイロット信号発振部９１で発生させられて上り用増幅器９７に入力されるパイロット信号のレベルと当該上り用増幅器９７により増幅された後のパイロット信号のレベルとを比較した結果に基づいて当該上り用増幅器９７のゲインを監視することができる。
【００２３】
なお、同図（ｂ）には、上記したバンドパスフィルタ９９のフィルタ特性の一例を示してあり、同図（ｂ）に示されるように、バンドパスフィルタ９９は周波数ｆ０のパイロット信号のみを通過させる一方、周波数ｆ１のバースト信号は通過させないフィルタ特性を有している。
また、上記したパイロット信号発振部９１を構成する各回路９２〜９４は例えばパイロット信号を安定に発振させるために必要なものである。
【００２４】
【発明が解決しようとする課題】
しかしながら、例えば上記図８（ａ）に示したような従来の回路構成では、上述したように端末局装置から基地局装置へ送信されるバースト信号を増幅する上り用増幅器のゲインを監視することはできるものの、パイロット信号を発生させるためのＶＣＯ等の高額な部品を備えることが必要であるため、コストがかさんでしまい、また、消費電力も高くなってしまって、経済性が悪いといった不具合があった。
【００２５】
本発明は、このような従来の課題を解決するためになされたもので、基地局装置から端末局装置へ送信される連続信号を下り用増幅器で増幅するとともに、端末局装置から基地局装置へ送信されるバースト信号を上り用増幅器で増幅するに際して、例えば上記従来例で示したような高額な部品を用いてパイロット信号を発生させなくとも、上り用増幅器のゲインの監視を行うことができる増幅装置を提供することを目的とする。
【００２６】
【課題を解決するための手段】
上記目的を達成するため、本発明に係る増幅装置では、基地局装置から端末局装置へ送信される連続信号を下り用増幅器で増幅するとともに、端末局装置から基地局装置へ送信されるバースト信号を上り用増幅器で増幅するに際して、次のようにして上り用増幅器のゲインを監視する。
すなわち、取得手段が連続信号の一部を監視用信号として取得し、結合手段が取得した監視用信号を増幅前のバースト信号と結合させて当該結合信号を上り用増幅器で増幅させ、監視手段が上り用増幅器により増幅される前の監視用信号のレベルと上り用増幅器により増幅された後の監視用信号のレベルとに基づいて上り用増幅器のゲインを監視する。
【００２７】
従って、連続信号の一部が監視用信号として用いられるため、例えばバースト信号が監視用信号として用いられる場合とは異なって、特に同期を確保する必要はない。また、基地局装置から端末局装置へ送信される連続信号が監視用信号として用いられるため、例えば上記従来例で示したような高額な部品を用いてパイロット信号を発生させる必要もない。こうしたことから、簡易に且つ経済的に上り用増幅器のゲインを監視することができる。
【００２８】
【発明の実施の形態】
本発明に係る増幅装置の一実施例を図面を参照して説明する。
まず、図１には、本例の増幅装置３が備えられた無線通信システムの一例を示してある。なお、同図には、本例の増幅装置３の概略的な構成例も示してある。
同図に示した無線通信システムには、基地局装置１と、端末局装置（本例では、携帯電話端末装置）２と、本例の増幅装置３とが備えられている。
【００２９】
本例の増幅装置３は不感地帯対策用のデジタル携帯電話ブースターとして用いられており、具体的には、地下街等の不感地帯４に存する端末局装置２が基地局装置１との間で当該増幅装置３を介して通信することを可能にし、これにより、当該端末局装置２による通話を可能にしている。なお、同図では、不感地帯４を点線で示して見易くしてある。
【００３０】
また、同図に示した無線通信システムではＴＤＭ／ＴＤＭＡ通信方式が採用されており、基地局装置１から端末局装置２への下り回線ではＴＤＭ方式による連続信号が送信される一方、端末局装置２から基地局装置１への上り回線ではＴＤＭＡ方式によるバースト信号が送信される。
【００３１】
すなわち、下り回線では、基地局装置１から高周波信号として無線送信される連続信号が増幅装置３のアンテナ１１により受信され、増幅装置３では、当該アンテナ１１により受信した連続信号を共用器１２を介して下り用増幅器１３で増幅し、当該増幅信号（増幅後の連続信号）を共用器１５を介してアンテナ１６から不感地帯４に向けて無線送信する。そして、このようにして増幅装置３から無線送信される連続信号が不感地帯４に存する端末局装置２により受信される。
【００３２】
同様に、上り回線では、不感地帯４に存する端末局装置２から高周波信号として無線送信されるバースト信号が増幅装置３のアンテナ１６により受信され、増幅装置３では、当該アンテナ１６により受信したバースト信号を共用器１５を介して上り用増幅器１４で増幅し、当該増幅信号（増幅後のバースト信号）を共用器１２を介してアンテナ１１から基地局装置１に向けて無線送信する。そして、このようにして増幅装置３から無線送信されるバースト信号が基地局装置１により受信される。
【００３３】
次に、図２には、上記した本例の増幅装置３の詳細な回路構成例を示してある。なお、同図では、上記図１に示した構成部分１２〜１５と同じものについては同一の符号を用いて示してあり、また、２つのアンテナ１１、１６については図示を省略してある。また、同図には、本例の増幅装置３により行われる処理を判り易くするため、基地局装置１から端末局装置２へ送信される連続信号の流れを実線の矢印を用いて示すとともに、端末局装置２から基地局装置１へ送信されるバースト信号の流れを点線の矢印を用いて示してある。
【００３４】
本例の増幅装置３には、基地局装置１と端末局装置２との間で通信される信号（上記した連続信号及び上記したバースト信号）を増幅するための構成として、基地局装置１との間で無線信号を通信するアンテナ１１と、端末局装置２との間で無線信号を通信するアンテナ１６と、アンテナ１１により受信する連続信号とアンテナ１１により送信するバースト信号とを分離する共用器１２と、アンテナ１６により受信するバースト信号とアンテナ１６により送信する連続信号とを分離する共用器１５と、基地局装置１から端末局装置２へ送信される連続信号を増幅する下り用増幅器１３と、端末局装置２から基地局装置１へ送信されるバースト信号を増幅する上り用増幅器１４とが備えられている。なお、本例では、連続信号の周波数とバースト信号の周波数とは互いに異なっており、周波数の違いを利用して両信号を分離等することが行われる。
【００３５】
また、本例の増幅装置３には、上り用増幅器１４のゲインを監視するための構成として、下り用増幅器１３から出力される増幅信号（増幅後の連続信号）を２つの信号に分配することで当該増幅信号の一部を監視用信号として取得する結合器２１と、結合器２１により取得される監視用信号を検波して直流電圧信号とする検波器２２と、当該直流電圧信号をデジタル化するＡ／Ｄ変換器２３と、結合器２１により取得される監視用信号と上り用増幅器１４により増幅される前のバースト信号とを結合して当該結合信号を上り用増幅器１４で増幅させる結合器２４と、上り用増幅器１４から出力される増幅信号を２つの信号に分配する結合器２５と、結合器２５により分配される一方の分配信号から増幅後の監視用信号を抽出するフィルタ（例えばバンドパスフィルタ）２６と、フィルタ２６により抽出される増幅後の監視用信号を検波して直流電圧信号とする検波器２７と、当該直流電圧信号をデジタル化するＡ／Ｄ変換器２８とが備えられている。なお、本例の増幅装置３では例えば下り用増幅器１３のゲインを監視することも行われるが、本例ではその説明を省略する。
【００３６】
次に、本例の増幅装置３により上り用増幅器１４のゲインを監視する動作の一例を示す。
すなわち、本例の増幅装置３では、下り用増幅器１３により増幅されて共用器１５へ出力される連続信号の一部を結合器２１により監視用信号として取得し、取得した監視用信号のレベルを検波器２２及びＡ／Ｄ変換器２２により検出する。なお、検波器２２やＡ／Ｄ変換器２２を用いて信号レベルを検出する仕方としては例えば従来と同様な仕方を用いることができ、後述する検波器２７及びＡ／Ｄ変換器２８による信号レベルの検出についても同様である。
【００３７】
また、本例の増幅装置３では、上記のようにして取得した監視用信号を結合器２４を介して上り用増幅器１４に入力する。ここで、結合器２１により取り出されて結合器２４へ入力される監視用信号は連続信号である一方、共用器１５から結合器２４へ入力されるバースト信号は非連続的な信号であるため、結合器２４では、バースト信号が入力されているときには当該バースト信号と監視用信号とを結合した信号を上り用増幅器１４へ出力する一方、バースト信号が入力されていないときには監視用信号のみを上り用増幅器１４へ出力する。本例では、このような構成とすることで、バースト信号との同期を確保して監視を行う必要をなくしている。
【００３８】
また、本例の増幅装置３では、上り用増幅器１４から共用器１２へ出力される増幅信号の一部を結合器２５により取得し、取得した増幅信号に含まれる増幅後の監視用信号のみをフィルタ２６により抽出し、抽出した増幅後の監視用信号のレベルを検波器２７及びＡ／Ｄ変換器２８により検出する。
【００３９】
そして、本例の増幅装置３では、監視対象となる上り用増幅器１４により増幅される前の監視用信号のレベル（入力レベル）と当該上り用増幅器１４により増幅された後の監視用信号のレベル（出力レベル）とを比較した結果に基づいて、例えば制御部（図示せず）により当該上り用増幅器１４のゲインを監視する。ここで、上り用増幅器１４のゲインの監視の仕方としては、例えば上記従来例で示したのと同様な仕方を用いることができる。
【００４０】
なお、通常では本例のように下り用増幅器１３のゲインを監視することも行われるため、例えば従来の増幅装置においても上記した結合器２１や検波器２２やＡ／Ｄ変換器２３と同様な機能を有する回路（以下で、下り監視用回路と言う）が下り用増幅器のゲインの監視用に実装されている場合も多く、本例の増幅装置３においても、例えば上記した結合器２１や検波器２２やＡ／Ｄ変換器２３は下り用増幅器１３のゲインを監視するために兼用されている。また、この場合、例えば従来の下り監視用回路に部品を追加しなくとも、検波器２２及びＡ／Ｄ変換器２３により検出される監視用信号のレベルを結合器２４の結合度分だけ補正すれば、上り用増幅器１４に入力される監視用信号のレベルを特定することができる。
【００４１】
また、本例の増幅装置３を現実に実施するに際して、下り用増幅器１３から出力される増幅信号（増幅後の連続信号）をそのまま監視用信号として用いることによって、もしも装置内部で発振が起こってしまう可能性があるときには、例えば２つの結合器２１、２４の結合度を上げることや、共用器１２の送受信間のアイソレーション量を上げることや、上り用増幅器１４と共用器１２との間に上り回線のバースト信号のみを通過させるフィルタを挿入すること等を採用して受動素子の変更や追加を行うことにより、上記のような発振を簡易に、且つ、消費電力を増加させることなく防止することができる。
【００４２】
また、本例の増幅装置３では、例えば下り用増幅器１３に入力される連続信号のレベルが変動する状況や、例えば下り用増幅器１３のゲインが変動する状況においても、上記した仕方により上り用増幅器１４のゲインを監視することが可能であるが、例えば結合器２４の前段に自動利得制御増幅器（ＡＧＣ増幅器）を備えることにより、上り用増幅器１４に入力される監視用信号のレベルを一定レベルに固定することもできる。
【００４３】
具体的には、例えば通常の増幅器では、図３（ａ）にその入出力特性の一例を示すように、出力レベルが入力レベルに比例するが、例えばＡＧＣ増幅器では、同図（ｂ）にその入出力特性の一例を示すように、所定のレベル範囲（同図（ｂ）中の“変動範囲”）の入力レベルに対しては、入力レベルの変動が吸収されて出力レベルが一定レベルに保持されるため、結合器２４に入力される監視用信号のレベルを一定レベルに固定することができる。
【００４４】
以上のように、本例の増幅装置３では、基地局装置１から端末局装置２へ送信される連続信号の一部が監視用信号として用いられるため、例えばバースト信号が監視用信号として用いられる場合とは異なって、特に同期を確保する必要はない。また、このような連続信号が監視用信号として用いられるため、例えば上記従来例で示したような高額な部品を用いてパイロット信号（すなわち、本例に言う監視用信号と同様な役割を有する信号）を発生させる必要もない。こうしたことから、本例の増幅装置３では、基地局装置１から端末局装置２へ送信される連続信号を下り用増幅器１３で増幅するとともに、端末局装置２から基地局装置１へ送信されるバースト信号を上り用増幅器１４で増幅するに際して、簡易に且つ経済的に上り用増幅器１４のゲインを監視することができる。
【００４５】
なお、例えば上記従来例の図８に示したような回路構成では、パイロット信号を発生させるために用いられるＴｃｘｏ（温度補償形の水晶発振器）９２やＶＣＯ（電圧制御発振器）９３やＰＬＬ（位相ロックループ）回路９４やバッファ増幅器９５で消費される電力は例えばおよそ１００ｍＡ、５Ｖに対応した電力となるが、本例の増幅装置３では、このようなパイロット信号を発生させる必要がないため、このような消費電力をゼロにすることができ、非常に効率的である。
【００４６】
ここで、本例では、結合器２１が下り用増幅器１３により増幅された連続信号の一部を監視用信号として取得することにより、本発明に言う取得手段が構成されている。なお、本例では好ましい態様として、下り用増幅器１３により増幅された連続信号の一部を監視用信号として取得したが、例えば下り用増幅器１３により増幅される前の連続信号の一部を監視用信号として利用することも可能である。
【００４７】
また、本例では、結合器２４が結合器２１により取得した監視用信号を上り用増幅器１４により増幅される前のバースト信号と結合させて当該結合信号を上り用増幅器１４で増幅させることにより、本発明に言う結合手段が構成されている。
また、本例では、例えば制御部が検波器２２やＡ／Ｄ変換器２３を用いて検出される監視用信号のレベル（すなわち、上り用増幅器１４により増幅される前の監視用信号のレベル）と検波器２７やＡ／Ｄ変換器２８を用いて検出される監視用信号のレベル（すなわち、上り用増幅器１４により増幅された後の監視用信号のレベル）とに基づいて上り用増幅器１４のゲインを監視することにより、本発明に言う監視手段が構成されている。
【００４８】
なお、本発明に係る増幅装置の構成としては、必ずしも上記実施例で示したものに限られず、種々な構成が用いられてもよい。
また、基地局装置の構成や端末局装置の構成としても種々な構成が用いられてもよい。具体的に、端末局装置としては、必ずしも上記実施例で示したように携帯電話端末装置が用いられなくともよく、例えば自動車に搭載される無線端末装置や固定的に設置される固定局装置等が用いられてもよい。
【００４９】
また、本発明では、間欠的に送信されるバースト信号とは異なって連続的に送信される連続信号を利用することで上り用増幅器のゲインを監視しており、例えば当該連続信号は全く途切れることがないのが好ましいが、例えば一定時間毎等に切れ目のある信号であっても、隣接する切れ目間の信号部分（すなわち、信号が連続している部分）の長さが実用上で十分に長ければ、当該信号部分を本発明に言う連続信号として用いることも可能である。
【００５０】
また、本発明に係る増幅装置により行われる各種の処理は、例えばプロセッサやメモリ等を備えたハードウエア資源においてプロセッサが制御プログラムを実行することにより制御されてもよく、また、例えば当該処理を実行するための各機能手段が独立したハードウエア回路として構成されてもよい。
また、本発明は上記の制御プログラムを格納したフロッピーディスクやＣＤ−ＲＯＭ等のコンピュータにより読み取り可能な記録媒体として把握することもでき、当該制御プログラムを記録媒体からコンピュータに入力してプロセッサに実行させることにより、本発明に係る処理を遂行させることができる。
【００５１】
【発明の効果】
以上説明したように、本発明に係る増幅装置によると、基地局装置から端末局装置へ送信される連続信号を下り用増幅器で増幅するとともに、端末局装置から基地局装置へ送信されるバースト信号を上り用増幅器で増幅するに際して、連続信号の一部を監視用信号として取得し、取得した監視用信号を増幅前のバースト信号と結合させて当該結合信号を上り用増幅器で増幅させ、上り用増幅器により増幅される前の監視用信号のレベルと上り用増幅器により増幅された後の監視用信号のレベルとに基づいて上り用増幅器のゲインを監視するようにしたため、例えば上記実施例で示したように、簡易に且つ経済的に上り用増幅器のゲインを監視することができる。
【図面の簡単な説明】
【図１】本発明の一実施例に係る増幅装置を備えた無線通信システムの一例を示す図である。
【図２】本発明の一実施例に係る増幅装置の構成例を示す図である。
【図３】ＡＧＣ増幅器による信号増幅を説明するための図である。
【図４】増幅装置を備えた無線通信システムの一例を示す図である。
【図５】増幅装置を備えた無線通信システムの他の例を示す図である。
【図６】従来例に係る増幅器のゲインを監視するための構成を説明するための図である。
【図７】検波電圧特性の一例を示す図である。
【図８】従来例に係る上り用増幅器のゲインを監視するための構成を説明するための図である。
【符号の説明】
１・・基地局装置、  ２・・端末局装置、  ３・・増幅装置、
４・・不感地帯、  １１、１６・・アンテナ、  １２、１５・・共用器、
１３・・下り用増幅器、  １４・・上り用増幅器、
２１、２４、２５・・結合器、  ２２、２７・・検波器、
２３、２８・・Ａ／Ｄ変換器、  ２６・・フィルタ、
【図１】
0003625042.tif 000002
【図２】
0003625042.tif 000003
【図３】
0003625042.tif 000004
【図４】
0003625042.tif 000005
【図５】
0003625042.tif 000006
【図６】
0003625042.tif 000007
【図７】
0003625042.tif 000008
【図８】
0003625042.tif 000009